【手続補正書】
【提出日】平成15年9月18日(2003.9.18)
【手続補正１】
【補正対象書類名】明細書
【補正対象項目名】０００６
【補正方法】変更
【補正の内容】
【０００６】
ここで、ＶＯＢＳ（Video Object Set）は、図３に示すように、１個以上のＶＯＢ（Video Object）で構成される。ＶＯＢ ＩＤ番号（VOB_IDN：VOB ID number）は、ＶＯＢＳ内の最も小さな論理セクタ番号（LSN：Logical Sector number）のＶＯＢからアサインされる。ＶＯＢは、１個以上のセル（Cell）からなる。セルＩＤ番号（C_IDN：Cell ID number ）は、ＶＯＢ内の最も小さな論理セクタ番号（LSN：Logical Sector number）のセルからアサインされる。また、セル（Cell）は、整数個のＶＯＢＵ（Video Object Unit ）により構成される。ＶＯＢＵは、整数個のオーディオパック（A_PCK：Audio Pack ），ビデオパック（V_PCK：Video Pack），サブピクチャパック（SP_PCK：Sub-picture Pack ）及びその先頭に配置されたナビゲーションパック（NV_PCK：Navigation Pack ）からなる。さらに、上記ＮＶ＿ＰＣＫは、図４に示すように、パックヘッダ、システムヘッダ、ＰＣＩパケット（PCI_PKT：Presentation Control Informationpacket）及びＤＳＩパケット（DSI_PKT：Data Search Information packet）からなる。


【手続補正２】
【補正対象書類名】明細書
【補正対象項目名】０００７
【補正方法】変更
【補正の内容】
【０００７】
そして、ＤＶＤ−ＶＩＤＥＯディスクでは、図５に示すようなプログラムチェーン（PGC：Program Chain）構造が採用されており、プレゼンテーションのエッセンス及び順序を述べたＰＧＣ情報（PGCI：PGC Information ）に基づいて、整数個のプログラム（PG：Program）により構成されるプログラムチェーン（PGC：Program Chain ）としてデータが記録されている。ＰＧＣは、メニュー又はタイトル又はその一部を提供する論理ユニットであり、ＰＧＣＩに基づいて構成される。１つのＰＧＣは、整数個のＰＧに分割されている。ＰＧは、ＰＧＣの内容を分割した単位であり、１つのＰＧは、整数個のセル（Cell）からなる。ＤＶＤ−ＶＩＤＥＯディスクの再生装置では、ＰＧＣＩを再生して、ＰＧＣＩに基づいてＰＧＣを再生する。ＰＧは、ＰＧＣＩにおいて定義されるセル（Cell）の集まりである。ＰＧＣＩは、プレ・コマンドエリア及びポスト・コマンドエリアとプレゼンテーション・コントロールブロックからなり、プレゼンテーション・コントロールブロックによりセルの再生順序とＶＯＢのプレゼンテーションを制御するためのナビゲーションデータを与えるようになっている。


【手続補正３】
【補正対象書類名】明細書
【補正対象項目名】００１４
【補正方法】変更
【補正の内容】
【００１４】
このように、プレゼンテーションのエッセンス及び順序を述べたＰＧＣ情報（PGCI：PGC Information）に基づいて、整数個のプログラム（PG：Program）により構成されるプログラムチェーン（PGC：Program Chain）が記録された記録媒体から、ＰＧＣＩに基づいてＰＧＣを再生するためには、再生しようとするＰＧＣのＰＧＣＩを予め再生する必要がある。そして、複数のドメイン間を遷移して、各ドメインにおいてＰＧＣＩに基づいてＰＧＣを再生するような場合に、元のドメインに戻って再度同じＰＧＣＩを再生してからＰＧＣを再生するような処理を必要とするので、迅速な処理を行うことができないという問題点があった。


【手続補正４】
【補正対象書類名】明細書
【補正対象項目名】００２６
【補正方法】変更
【補正の内容】
【００２６】
また、この光ディスク再生装置１００は、上記主映像圧縮データを伸張するビデオデコーダ６と、上記副映像圧縮データを伸張して主映像データと合成する副映像デコーダ７と、上記音声圧縮データを伸張するオーディオデコーダ８と、副映像デコーダ７からの主映像データと副映像データが合成された映像データが供給されＮＴＳＣ信号又はＰＡＬ信号に変換するデジタル／ＮＴＳＣ，ＰＡＬ変換回路（以下、単にＮＴＳＣ変換回路という。）９と、オーディオデコーダ８からのオーディオデータが供給されアナログ信号に変換するデジタル／アナログ変換回路（以下、単にＤ／Ａ変換回路という。）１０とを備える。


【手続補正５】
【補正対象書類名】明細書
【補正対象項目名】００２７
【補正方法】変更
【補正の内容】
【００２７】
また、このＤＶＤ再生装置１００は、ピックアップ２，ＲＦ回路３，データデコーダ４，デマルチプレクサ５，ビデオデコーダ６，副映像デコーダ７，オーディオデコーダ８，ＮＴＳＣ変換回路９及びＤ／Ａ変換回路１０を制御するコントローラ１１と、このコントローラ１１とユーザーの操作入力を媒介するユーザーインターフェース１２と、コントローラ１１のデータ記憶部となるメモリ１３とを備える。


【手続補正６】
【補正対象書類名】明細書
【補正対象項目名】００３９
【補正方法】変更
【補正の内容】
【００３９】
オーディオデコーダ８は、音声圧縮データの復号処理を行い、伸張した音声データを生成する。すなわち、オーディオデコーダ８は、音声圧縮データがＭＰＥＧ２のフォーマットで圧縮されていれば、これに対応した伸張処理をして、音声データを生成する。なお、このＭＰＥＧ２のフォーマットの他に、ＰＣＭ等のフォーマットであれば、これに対応した処理を行う。オーディオデコーダ８は、生成した音声データをＤ／Ａ変換回路１０に供給する。


【手続補正７】
【補正対象書類名】明細書
【補正対象項目名】００４１
【補正方法】変更
【補正の内容】
【００４１】
Ｄ／Ａ変換回路１０は、デジタルデータである音声データをアナログの音声データに変換して出力する。この出力をスピーカ等に供給することにより、ユーザーが記録媒体１から再生した映像を視聴することができる。


【手続補正８】
【補正対象書類名】明細書
【補正対象項目名】００４２
【補正方法】変更
【補正の内容】
【００４２】
コントローラ１１は、ピックアップ２，ＲＦ回路３，データデコーダ４，デマルチプレクサ５，ビデオデコーダ６，副映像デコーダ７，オーディオデコーダ８，ＮＴＳＣ変換回路９及びＤ／Ａ変換回路１０の制御を行う。


【手続補正９】
【補正対象書類名】明細書
【補正対象項目名】００４７
【補正方法】変更
【補正の内容】
【００４７】
例えば、ＶＴＳメニュードメイン（VTSM_DOM：VTS Menu Domain） とタイトルドメイン（TT_DOM：Title Domain）との間で例えば図８に（１）〜（６）で示すような遷移を行い、図９に示すようなメニュー画面及びタイトル画面を表示する場合、上記コントローラ１１は、図１０に示すように、ＶＴＳＭ＿ＤＯＭにおけるメニュー表示のためのＶＴＳＭ＿ＰＧＣを保持するキャッシュ領域（VTSM_CACHE）とＴＴ＿ＤＯＭにおけるタイトル表示のためのＴＴ＿ＰＧＣを保持するキャッシュ領域（TT_CACHE）を上記メモリ１３上にドメイン毎に独立したキャッシュ領域として確保する。


【手続補正１０】
【補正対象書類名】明細書
【補正対象項目名】００４８
【補正方法】変更
【補正の内容】
【００４８】
ここでは、記録媒体１からＶＴＳＭ＿ＤＯＭにおけるメニュー表示のためのＶＴＳＭ＿ＰＧＣ１が再生され、このＶＴＳＭ＿ＰＧＣ１に基づいて図９の（Ａ）に示すようなメニュー画面が表示された状態を初期状態として、状態遷移（１）〜（６）について説明する。


【手続補正１１】
【補正対象書類名】明細書
【補正対象項目名】００５０
【補正方法】変更
【補正の内容】
【００５０】
そして、ＶＴＳＭ＿ＤＯＭにおいて、図９の（Ａ）に示すようなメニュー画面を表示した初期状態において、ユーザによりタイトル１が選択されると、ＴＴ１＿ＤＯＭへの状態遷移（１）が生じ、記録媒体１から上記タイトル１の表示のためのＴＴ１＿ＰＧＣ１が再生され、このＴＴ１＿ＰＧＣ１に基づいて図９の（Ｂ）に示すようなタイトル１が表示されるとともに、上記メモリ１３に確保したキャッシュ領域（TT_CACHE）にＴＴ１＿ＰＧＣ１がロードされる。これにより、図１１の（Ｂ）に示すように、キャッシュ領域（TT_CACHE）にはＴＴ１＿ＰＧＣ１が保持され、キャッシュ領域（VTSM_CACHE）にはＶＴＳＭ＿ＰＧＣ１が保持された状態となる。


【手続補正１２】
【補正対象書類名】明細書
【補正対象項目名】００５１
【補正方法】変更
【補正の内容】
【００５１】
ここで、上記ＴＴ１＿ＤＯＭでは、ＴＴ１＿ＰＧＣ１に続いてＴＴ１＿ＰＧＣ２によるタイトル１の表示を行うための状態遷移（２）が自動的に行われようになっており、記録媒体１から上記タイトル１の表示のためのＴＴ１＿ＰＧＣ２が再生され、このＴＴ＿ＰＧＣ２に基づいて図９の（Ｃ）に示すようなタイトル１が表示されるとともに、上記メモリ１３に確保したキャッシュ領域（TT_CACHE）にＴＴ１＿ＰＧＣ２がロードされる。これにより、図１１の（Ｃ）に示すように、キャッシュ領域（TT_CACHE）にはＴＴ１＿ＰＧＣ２が保持され、キャッシュ領域（VTSM_CACHE）にはＶＴＳＭ＿ＰＧＣ１が保持された状態となる。


【手続補正１３】
【補正対象書類名】明細書
【補正対象項目名】００５２
【補正方法】変更
【補正の内容】
【００５２】
さらに、上記ＴＴ１＿ＤＯＭでは、上記状態遷移（２）に続いてＶＴＳＭ＿ＤＯＭにおいて図９の（Ｄ）に示すようなメニュー画面を表示するための状態遷移（３）が自動的に行われようになっている。図９の（Ｄ）に示すメニュー画面は、上記初期状態におけるメニュー画面と同じものであって、図１１の（Ｄ）に示すように、キャッシュ領域（VTSM_CACHE）に保持されているＶＴＳＭ＿ＰＧＣ１に基づいて表示される。すなわち、この状態遷移（３）においては、記録媒体１から上記メニュー表示のためのＶＴＳＭ＿ＰＧＣ１を再生する必要がない。


【手続補正１４】
【補正対象書類名】明細書
【補正対象項目名】００５３
【補正方法】変更
【補正の内容】
【００５３】
次に、このＶＴＳＭ＿ＤＯＭで図９の（Ｄ）に示すようなメニュー画面を表示した状態において、ユーザによりタイトル２が選択されると、ＴＴ２＿ＤＯＭへの状態遷移（４）が生じ、記録媒体１から上記タイトル２の表示のためのＴＴ２＿ＰＧＣ１が再生され、このＴＴ２＿ＰＧＣ１に基づいて図９の（Ｅ）に示すようなタイトル２が表示されるとともに、上記メモリ１３に確保したキャッシュ領域（TT_CACHE）にＴＴ２＿ＰＧＣ１がロードされる。これにより、図１１の（Ｅ）に示すようなキャッシュ領域（TT_CACHE）にはＴＴ２＿ＰＧＣ１が保持され、キャッシュ領域（VTSM_CACHE）にはＶＴＳＭ＿ＰＧＣ１が保持された状態となる。


【手続補正１５】
【補正対象書類名】明細書
【補正対象項目名】００５４
【補正方法】変更
【補正の内容】
【００５４】
ここで、上記ＴＴ２＿ＤＯＭでも、ＴＴ２＿ＰＧＣ１に続いてＴＴ２＿ＰＧＣ２によるタイトル２の表示を行うための状態遷移（５）が自動的に行われようになっており、記録媒体１から上記タイトル２の表示のためのＴＴ２＿ＰＧＣ２が再生され、このＴＴ＿ＰＧＣ２に基づいて図９の（Ｆ）に示すようなタイトル２が表示されるとともに、上記メモリ１３に確保したキャッシュ領域（TT_CACHE）にＴＴ２＿ＰＧＣ２がロードされる。これにより、図１１の（Ｆ）に示すようにキャッシュ領域（TT_CACHE）にはＴＴ２＿ＰＧＣ２が保持され、キャッシュ領域（VTSM_CACHE）にはＶＴＳＭ＿ＰＧＣ１が保持された状態となる。


【手続補正１６】
【補正対象書類名】明細書
【補正対象項目名】００５５
【補正方法】変更
【補正の内容】
【００５５】
さらに、上記ＴＴ２＿ＤＯＭでは、上記状態遷移（５）に続いてＶＴＳＭ＿ＤＯＭにおいて図９の（Ｇ）に示すようなメニュー画面を表示するための状態遷移（６）が自動的に行われようになっている。図１１の（Ｇ）に示すメニュー画面は、上記初期状態におけるメニュー画面と同じものであって、キャッシュ領域（VTSM_CACHE）に保持されているＶＴＳＭ＿ＰＧＣ１に基づいて表示される。すなわち、この状態遷移（６）においても、記録媒体１から上記メニュー表示のためのＶＴＳＭ＿ＰＧＣ１を再生する必要がない。


【手続補正１７】
【補正対象書類名】明細書
【補正対象項目名】００５６
【補正方法】変更
【補正の内容】
【００５６】
ここで、図１２に示すように、ＶＴＳＭ＿ＤＯＭにおけるメニュー表示のためのＶＴＳＭ＿ＰＧＣとＴＴ＿ＤＯＭにおけるタイトル表示のためのＴＴ＿ＰＧＣを共通のキャッシュ領域（PGC_CACHE） に確保して、上記状態遷移（１）〜（６）を行うこともできるのであるが、この場合、（１）〜（６）の状態遷移毎に再生すべきＰＧＣのＰＧＣＩを記録媒体１から再生して、キャッシュ領域（PGC_CACHE） にロードする必要がある。


【手続補正１８】
【補正対象書類名】明細書
【補正対象項目名】００５８
【補正方法】変更
【補正の内容】
【００５８】
また、ＶＴＳＭ＿ＤＯＭとＴＴ＿ＤＯＭとの間で例えば図１５に（１）〜（３）で示すような遷移を行い、図１６に示すようなタイトル画面及びメニュー画面を表示する場合にも、ＶＴＳＭ＿ＤＯＭにおけるメニュー表示のためのＶＴＳＭ＿ＰＧＣを保持するキャッシュ領域（VTSM_CACHE）とＴＴ＿ＤＯＭにおけるタイトル表示のためのＴＴ＿ＰＧＣを保持するキャッシュ領域（TT_CACHE）を上記メモリ１３上にドメイン毎に独立したキャッシュ領域として確保する。


【手続補正１９】
【補正対象書類名】明細書
【補正対象項目名】００５９
【補正方法】変更
【補正の内容】
【００５９】
ここでは、記録媒体１からＴＴ＿ＤＯＭにおけるタイト表示のためのＴＴ＿ＰＧＣ１が再生され、このＴＴ＿ＰＧＣ１に基づいて図１６の（Ａ）に示すようなタイトル画面が表示された状態を初期状態として、状態遷移（１）〜（３）について説明する。


【手続補正２０】
【補正対象書類名】明細書
【補正対象項目名】００６１
【補正方法】変更
【補正の内容】
【００６１】
そして、ＴＴ＿ＤＯＭにおいて、図１６の（Ａ）に示すようなタイトル画面を表示した初期状態において、ユーザによりメニューキーが操作されると、ＶＴＳＭ＿ＤＯＭへの状態遷移（１）が生じ、記録媒体１から上記メニュー表示のためのＶＴＳＭ＿ＰＧＣ１が再生され、このＶＴＳＭ＿ＰＧＣ１に基づいて図１６の（Ｂ）に示すようなメニューが表示されるとともに、上記メモリ１３に確保したキャッシュ領域（VTSM_CACHE）にＶＴＳＭ＿ＰＧＣ１がロードされる。これにより、図１７の（Ｂ）に示すように、キャッシュ領域（TT_CACHE）にはＴＴ＿ＰＧＣ１が保持され、キャッシュ領域（VTSM_CACHE）にはＶＴＳＭ＿ＰＧＣ１が保持された状態となる。


【手続補正２１】
【補正対象書類名】明細書
【補正対象項目名】００６２
【補正方法】変更
【補正の内容】
【００６２】
このメニュー表示状態において、ユーザが例えば項目「Ａｕｄｉｏ」を選択することにより、ＶＴＳＭ＿ＤＯＭにおいてＶＴＳＭ＿ＰＧＣ１に続いてＶＴＳＭ＿ＰＧＣ２による言語メニューの表示を行うための状態遷移（２）が生じ、記録媒体１から上記言語メニュー表示のためのＶＴＳＭ＿ＰＧＣ２が再生され、このＶＴＳＭ＿ＰＧＣ２に基づいて図１６の（Ｃ）に示すような言語メニューが表示されるとともに、上記メモリ１３に確保したキャッシュ領域（VTSM_CACHE）にＶＴＳＭ＿ＰＧＣ２がロードされる。これにより、図１７の（Ｃ）に示すように、キャッシュ領域（TT_CACHE）にはＴＴ＿ＰＧＣ１が保持され、キャッシュ領域（VTSM_CACHE）にはＶＴＳＭ＿ＰＧＣ２が保持された状態となる。


【手続補正２２】
【補正対象書類名】明細書
【補正対象項目名】００６４
【補正方法】変更
【補正の内容】
【００６４】
そして、このＶＴＳＭ＿ＤＯＭにおける言語メニュー表示状態では、ユーザがボタン「ＲＥＳＵＭＥ」を選択することにより、図１６の（Ｅ）に示すタイトル画面を表示するＴＴ＿ＤＯＭへの状態遷移（３）が生じる。図１６の（Ｅ）に示すタイトル画面は、上記初期状態におけるタイトル画面と同じものであって、図１７の（Ｄ）に示すように、キャッシュ領域（TT_CACHE）に保持されているＴＴ＿ＰＧＣ１に基づいて表示される。すなわち、この状態遷移（３）においても、記録媒体１から上記タイトル表示のためのＴＴ＿ＰＧＣ１を再生する必要がない。


【手続補正２３】
【補正対象書類名】明細書
【補正対象項目名】符号の説明
【補正方法】変更
【補正の内容】
【符号の説明】
１  記録媒体、２  ピックアップ、３  ＲＦ回路３、４  データデコーダ、５  デマルチプレクサ、６  ビデオデコーダ、７  副映像デコーダ、８  オーディオデコーダ、９  ＮＴＳＣ変換回路、１０  Ｄ／Ａ変換回路、１１  コントローラ、１２  ユーザーインターフェース、１３  メモリ、１００  光ディスク再生装置


【手続補正２４】
【補正対象書類名】図面
【補正対象項目名】図８
【補正方法】変更
【補正の内容】
【図８】
1998271451.tif 000001
【手続補正２５】
【補正対象書類名】図面
【補正対象項目名】図９
【補正方法】変更
【補正の内容】
【図９】
1998271451.tif 000002
【手続補正２６】
【補正対象書類名】図面
【補正対象項目名】図１１
【補正方法】変更
【補正の内容】
【図１１】
1998271451.tif 000003
【手続補正２７】
【補正対象書類名】図面
【補正対象項目名】図１５
【補正方法】変更
【補正の内容】
【図１５】
1998271451.tif 000004
【手続補正２８】
【補正対象書類名】図面
【補正対象項目名】図１６
【補正方法】変更
【補正の内容】
【図１６】
1998271451.tif 000005
【手続補正２９】
【補正対象書類名】図面
【補正対象項目名】図１７
【補正方法】変更
【補正の内容】
【図１７】
1998271451.tif 000006